(57)【要約】      （修正有）【課題】大電流による短絡は勿論のこと、数十Ωの抵抗をもつパーシャルショートモードの故障を生じた場合であっても、加熱による発火や発煙などに至るのを、より確実に防止可能とする新たな屋外用のＬＥＤ電飾技術を提供する。【解決手段】屋外ＬＥＤ電飾用整流器１は、防水型筐体１０を有し、該筐体１０の適所に外部交流電源接続用プラグ２を防水状態に接続し、同筐体１０の外部交流電源接続用プラグ２との短絡を防止し、防水を確保可能な適所にＬＥＤ接続用コネクタ３を防水状態に接続する。筐体１０内に整流回路４を設け、整流回路４と当該外部交流電源接続用プラグ２とを、該筐体１０内の整流回路入力配線４０と外部交流電源接続用プラグ２との間の適所にパーシャルショート防止回路５を設けて接続する。一方、整流回路４の出力配線４１を、当該ＬＥＤ接続用コネクタ３に接続してなる。【選択図】図１
2018014271.tif 000002
【特許請求の範囲】
【請求項１】
防水型筐体を有し、該筐体の適所に外部交流電源接続用プラグが防水状態に接続され、同筐体の外部交流電源接続用プラグとの短絡が防止されるようし、防水を確保可能な適所にＬＥＤ接続用コネクタが防水状態に接続され、該筐体内に整流回路が設けられ、該整流回路と当該外部交流電源接続用プラグとが、該筐体内該整流回路入力配線と当該外部交流電源接続用プラグとの間の適所にパーシャルショート防止回路を設けて接続される一方、該整流回路の出力配線が、当該ＬＥＤ接続用コネクタに接続されてなるものとしたことを特徴とする屋外ＬＥＤ電飾用整流器。
【請求項２】
防水型筐体を有し、該筐体の適所に外部交流電源接続用プラグが防水状態に接続され、同筐体の外部交流電源接続用プラグとの短絡が防止されるようにし、防水を確保可能な適所にＬＥＤ接続用コネクタが防水状態に接続され、該筐体内に整流回路が設けられ、該整流回路と当該外部交流電源接続用プラグとが、該筐体内の該整流回路入力配線と当該外部交流電源接続用プラグとの間の適所にパーシャルショート防止回路および大電流保護回路を設けて接続される一方、該整流回路の出力配線が、当該ＬＥＤ接続用コネクタに接続されてなるものとしたことを特徴とする屋外ＬＥＤ電飾用整流器。
【請求項３】
防水型筐体を有し、該筐体の適所に作業用開口が開口され、該作業用開口を開閉可能とする防水型蓋部が設けられ、該筐体の適所に外部交流電源接続用プラグを先端に有する電源コードの基端が防水状態に接続され、同筐体の電源コードとの短絡が防止されるようにし、防水を確保可能な適所にＬＥＤ接続用コネクタを先端に有するストリングの基端が防水状態に接続され、同筐体内に基板部が設けられていて、該基板部には整流回路が搭載されるようにし、当該外部交流電源接続用プラグを先端に有する電源コード基端の交流２線中の一方の配線途中に、パーシャルショート防止回路としての正温度特性を有するサーミスタが設けられ、当該外部交流電源接続用プラグを先端に有する電源コード基端の交流２線中の他方の配線途中に、大電流保護回路としてのヒューズが設けられ、該正温度特性を有するサーミスタを途中に設けた交流２線中の一方の配線が、該整流回路の適宜入力配線に接続され、該ヒューズを途中に設けた交流２線中の他方の配線が、該整流回路の別の適宜入力配線に接続されるようにし、該整流回路のプラスおよびマイナスの出力配線が、当該ＬＥＤ接続用コネクタを先端に有するストリング基端の、夫々対応するプラスおよびマイナス配線の夫々に接続されてなるものとしたことを特徴とする屋外ＬＥＤ電飾用整流器。
【請求項４】
パーシャルショート防止回路が、過電流１Ａ以上のパーシャルショートの発生条件下に、トリップするポリスイッチ（登録商標）からなり、大電流保護回路としてのヒューズが、過電流６Ａないし回路ショートまでを保護可能なものに設定されてなるものとした、請求項１または２何れか一方記載の屋外ＬＥＤ電飾用整流器。
【請求項５】
請求項１ないし４何れか一記載の屋外ＬＥＤ電飾用整流器とは別体であって、当該屋外ＬＥＤ電飾用整流器のＬＥＤ接続用コネクタに着脱可能とした少なくとも一対の雄・雌コネクタ間に、所定長のプラス・マイナス線が接続され、同プラス・マイナス線の所定長間隔置き毎となる同プラス・マイナス線間に、ＬＥＤ電飾灯を搭載した抵抗付きＬＥＤ搭載部を少なくとも１個と、ＬＥＤ電飾灯を搭載した抵抗無しのＬＥＤ搭載部の複数個とを、互いに一定間隔置き毎に配した中間ストリングの複数本が梯子状に接続されるようにし、前記プラス・マイナス線、および同プラス・マイナス線の所定長間隔置き毎に接続した複数本の中間ストリングを、１本の配線状に束ね、各ＬＥＤ搭載部が一定間隔置き毎に突起してなるＬＥＤ電飾用延長型ストリングスの１または複数本と、当該屋外ＬＥＤ電飾用整流器とが、前記雄・雌コネクタを介して１線状に接続されてなるものとした、請求項１ないし４何れか一記載の屋外ＬＥＤ電飾用整流器を利用した屋外用ＬＥＤ電飾装置。
【発明の詳細な説明】
【技術分野】
【０００１】
この発明は、屋外等の雨天、降雪などの荒天下であっても短絡を防止できる電力供給技術に関連するものであり、特に、屋外用ＬＥＤ電飾に電力をより安全に供給可能とする整流器を製造、提供する分野は勿論のこと、その輸送、保管、組み立ておよび設置に必要となる設備、器具類を提供、販売する分野から、それら資材や機械装置、部品類に必要となる素材、例えば、木材、石材、各種繊維類、プラスチック、各種金属材料等を提供する分野、それらに組み込まれる電子部品やそれらを集積した制御関連機器の分野、各種計測器の分野、当該設備、器具を動かす動力機械の分野、そのエネルギーとなる電力やエネルギー源である電気、オイルの分野といった一般的に産業機械と総称されている分野、更には、それら設備、器具類を試験、研究したり、それらの展示、販売、輸出入に係わる分野、将又、それらの使用の結果やそれを造るための設備、器具類の運転に伴って発生するゴミ屑の回収、運搬等に係わる分野、それらゴミ屑を効率的に再利用するリサイクル分野などの外、現時点で想定できない新たな分野までと、関連しない技術分野はない程である。                                                                                      
【背景技術】
【０００２】
（着目点）
ＬＥＤ（ｌｉｇｈｔ  ｅｍｉｔｔｉｎｇ  ｄｉｏｄｅ：以下、説明を省略。）照明灯を利用したイルミネーションは、一般的に商用交流電源から整流回路を介し、該整流回路によって変換された直流電流の供給を受け、数珠繋ぎ状に接続した複数個のＬＥＤ電飾灯を点灯するようにしたものであり、特に、屋外設置用の場合には、電源プラグ、電源コード、整流回路、ストリング、コネクタなどの各部に雨水などが進入して短絡してしまう虞があるため、特にＬＥＤ電飾灯のストリングと整流回路とを接続するコネクタ部分については、設置作業の際に雄・雌のコネクタ同士を完全に嵌合させるようにして高い密閉性を確保できるよう設計、製造しているものの、雄・雌コネクタの施工時の締め付けが不良であったりすると、雄・雌コネクタ間に雨水や雪解け水、その他の水分の浸入を招く虞があり、また、雨天や降雪中などにＬＥＤ照明灯を配線、設置する作業を行うと、雨水や雪などが、雄・雌コネクタ間に浸入したまま密閉状態に接続してしまう虞もあり、こうした場合には、設置当初は電飾の安定した点灯を確保できるにしても、それが、例えば、２年目以降の使用開始までや使用中などに雄・雌コネクタの電極部分に錆びを発生したり、また、湿度および通電による熱、さらに、正・負電極間に生じる電界の作用などにより、電極に含まれる金属が次第にイオン化し、コネクタ樹脂成形部品同士の結合境界面などに沿って電極間を移動し、再び金属に還元して析出するイオンマイグレーション現象が発生したりするなどして、完全には短絡することがないまでも、数十Ωの抵抗を持って所謂パーシャルショートモードの故障を招くことがあり、こうした故障の際には、定格電流を大きく超えた場合に有効な大電流保護用のヒューズを搭載した整流回路であっても、ヒューズが回路オープンに至らず、正・負電極間に電流が流れ続けて発熱し、コネクタの外郭をなす樹脂製部分が加熱、発火、発煙する等して、コネクタ破損に至り、さらには、コネクタ破損による短絡によって大電流が流れ、整流回路が破損に至ってしまうことなどが懸念された。
【０００３】
（従来の技術）
こうした状況を受けて、その打開策となるような提案も、これまでに散見されない訳ではない。
例えば、下記の特許文献１（１）および同特許文献１（２）に提案されているものに代表されるように、一対をなして着脱可能とした雄・雌コネクタの中の、雌コネクタの電極間に仕切り壁を突設し、雄コネクタの電極間には該仕切り壁の差し込みが可能な溝部を設け、接続状態における両電極間の沿面距離を延長して電極間の短絡を防止する技術や、同特許文献１（３）に見られるような、商用交流電圧のＡＣ入力を整流して出力する整流回路と、この出力を入力とする直列接続された複数のＬＥＤとからなるＬＥＤを用いた画像表示装置において、前記ＡＣ入力のライン間にバリスタを接続し、前記複数のＬＥＤと直列に過熱保護回路を接続するものであり、バリスタによって商用交流電源からのサージ電圧の流入を防止して画像表示装置の破壊を防止すると共に、過熱保護回路によって画像表示装置が所定の温度以上に発熱する事を防止するＬＥＤを用いた画像表示装置の提供を可能としたものなどが散見される。
【０００４】
しかし、前者特許文献１（１）および同特許文献１（２）に示されているようなコネクタの電極間に仕切り壁を設けて沿面距離を伸ばしたものは、イオンマイグレーション現象と、それに起因するパーシャルショートの発生を効果的に防止することができるが、それでも雄・雌コネクタの接続部分に万が一パーシャルショートが発生してしまった場合や、ストリングの中途部や結合部分などにパーシャルショートが発生した場合には、パーシャルショート発生箇所や整流回路の加熱、発火および発煙などを確実に防止することができない虞があり、さらにまた、雄・雌コネクタの各々の、例えば雄コネクタが、自らの肉厚中に配した正・負配線間に結合境界面を有するよう２以上の成型部品同士を組み合わせてなるものの場合には、成型部品同士間の結合境界面に沿って正・負配線間にイオンマイグレーション現象を発生し、それに起因するパーシャルショートを発生してしまう虞があり、また、特許文献１（３）に代表する画像表示装置などは、ヒューズおよびバリスタを整流回路よりもＡＣ電源がわに設け、さらに、ポジスタ（登録商標）やポリスイッチ（登録商標）などの正温度特性を有する抵抗素子からなる加熱保護回路を、整流回路よりもＬＥＤがわ（ＤＣがわ）に設けたものとしてあるから、ヒューズおよびバリスタが、整流回路への大電流の流入を防止可能としているが、該加熱保護回路は、ＬＥＤを異常加熱から保護するのを目的とするものであり、整流回路を保護するものとはなっておらず、また、これらヒューズ、バリスタ、整流回路、加熱保護回路などは何れも積極的な防水構造を有するものではなく、あくまで落雷などに起因するサージ電流などの大電流から画像表示装置を保護すると共に、ＬＥＤの発光に伴う発熱や高温環境下での破損を防止可能とするものであって、水分の浸入や加熱などによって配線回路の何処でも発生する可能性があるイオンマイグレーション現象、および、それに起因するパーシャルショートモードの故障などの発生を確実に防止できるものとはなっていなかった。                                                                                  
【特許文献１】（１）特開２００２―１５１１９６号公報    （２）特開２００４−１５９４７０号公報    （３）特開２０１１−５９４０２号公報
【発明の概要】
【発明が解決しようとする課題】
【０００５】
（問題意識）
上述したとおり、従前までに提案のある各種コネクタなどは、何れも雄・雌コネクタ同士間の接続部分以外の配線部分でイオンマイグレーション現象、およびそれに起因するパーシャルショートが発生するのを阻止できるものとはなっておらず、また、加熱保護回路を整流回路よりもＬＥＤがわ（ＤＣがわ）に設けたＬＥＤを用いた画像表示装置などは、整流回路などを屋外に設置して使用することを前提とはしておらず、ＡＣ入力から整流回路までの範囲の、何れかに水分が浸入してしまった場合には、イオンマイグレーション現象に起因するパーシャルショートモードの故障が発生する虞があるという欠点を残すものであり、本願出願人は、永年、ＬＥＤ電飾の開発、製造、販売に携わり、様々な顧客に対して提供し続けてきている中、それらから得られた様々な知見、およびユーザーからの情報などに基づき、試作、実験を繰り返し、雄・雌コネクタ肉厚内部のイオンマイグレーション現象を、より確実に防止することができ、しかも、ＡＣ電源から整流回路、およびＬＥＤ電飾灯に至る各部の、イオンマイグレーション現象、および、それに起因するパーシャルショートモードの故障などの発生を、より確実に防止可能とする技術開発の必要性を痛感するに至ったものである。
【０００６】
（発明の目的）
そこで、この発明は、大電流による短絡は勿論のこと、数十Ωの抵抗をもつパーシャルショートモードの故障を生じた場合であっても、加熱による発火や発煙などに至るのを、より確実に防止可能とする新たな屋外用のＬＥＤ電飾技術の開発はできないものかとの判断から、逸速くその開発、研究に着手し、長期に渡る試行錯誤と幾多の試作、実験とを繰り返してきた結果、今回、遂に新規な構造の屋外ＬＥＤ電飾用整流器、およびそれを利用した新規な構造の屋外用ＬＥＤ電飾装置を実現化することに成功したものであり、以下では、図面に示すこの発明を代表する実施例と共に、その構成を詳述することとする。                      
【課題を解決するための手段】
【０００７】
（発明の構成）
図面に示すこの発明を代表する実施例からも明確に理解されるように、この発明の屋外ＬＥＤ電飾用整流器は、基本的に次のような構成から成り立っている。
即ち、防水型筐体を有し、該筐体の適所に外部交流電源接続用プラグが防水状態に接続され、同筐体の外部交流電源接続用プラグとの短絡が防止されるようし、防水を確保可能な適所にＬＥＤ接続用コネクタが防水状態に接続され、該筐体内に整流回路が設けられ、該整流回路と当該外部交流電源接続用プラグとが、該筐体内該整流回路入力配線と当該外部交流電源接続用プラグとの間の適所にパーシャルショート防止回路を設けて接続される一方、該整流回路の出力配線が、当該ＬＥＤ接続用コネクタに接続されてなるものとした構成を要旨とする屋外ＬＥＤ電飾用整流器である。
【０００８】
この基本的な構成からなる屋外ＬＥＤ電飾用整流器は、表現を変えて示すならば、防水型筐体を有し、該筐体の適所に外部交流電源接続用プラグが防水状態に接続され、同筐体の外部交流電源接続用プラグとの短絡が防止されるようにし、防水を確保可能な適所にＬＥＤ接続用コネクタが防水状態に接続され、該筐体内に整流回路が設けられ、該整流回路と当該外部交流電源接続用プラグとが、該筐体内の該整流回路入力配線と当該外部交流電源接続用プラグとの間の適所にパーシャルショート防止回路および大電流保護回路を設けて接続される一方、該整流回路の出力配線が、当該ＬＥＤ接続用コネクタに接続されてなるものとした構成からなる屋外ＬＥＤ電飾用整流器となる。
【０００９】
さらに、この基本的な構成からなる屋外ＬＥＤ電飾用整流器を、より具体的なものとして示すと、防水型筐体を有し、該筐体の適所に作業用開口が開口され、該作業用開口を開閉可能とする防水型蓋部が設けられ、該筐体の適所に外部交流電源接続用プラグを先端に有する電源コードの基端が防水状態に接続され、同筐体の電源コードとの短絡が防止されるようにし、防水を確保可能な適所にＬＥＤ接続用コネクタを先端に有するストリングの基端が防水状態に接続され、同筐体内に基板部が設けられていて、該基板部には整流回路が搭載されるようにし、当該外部交流電源接続用プラグを先端に有する電源コード基端の交流２線中の一方の配線途中に、パーシャルショート防止回路としての正温度特性を有するサーミスタが設けられ、当該外部交流電源接続用プラグを先端に有する電源コード基端の交流２線中の他方の配線途中に、大電流保護回路としてのヒューズが設けられ、該正温度特性を有するサーミスタを途中に設けた交流２線中の一方の配線が、該整流回路の適宜入力配線に接続され、該ヒューズを途中に設けた交流２線中の他方の配線が、該整流回路の別の適宜入力配線に接続されるようにし、該整流回路のプラスおよびマイナスの出力配線が、当該ＬＥＤ接続用コネクタを先端に有するストリング基端の、夫々対応するプラスおよびマイナス配線の夫々に接続されてなるものとした構成からなる屋外ＬＥＤ電飾用整流器ということができる。
【００１０】
（関連する発明１）
上記した屋外ＬＥＤ電飾用整流器に関連し、この発明には、それを利用した屋外用ＬＥＤ電飾装置も包含している。
即ち、この発明の基本をなす前記屋外ＬＥＤ電飾用整流器とは別体であって、当該屋外ＬＥＤ電飾用整流器のＬＥＤ接続用コネクタに着脱可能とした少なくとも一対の雄・雌コネクタ間に、所定長のプラス・マイナス線が接続されるようにし、同プラス・マイナス線の所定長間隔置き毎となる適所間に、ＬＥＤ電飾灯を搭載した抵抗付きＬＥＤ搭載部を少なくとも１個と、ＬＥＤ電飾灯を搭載した抵抗無しのＬＥＤ搭載部の複数個とを、互いに一定間隔置き毎に配した中間ストリングの複数本が梯子状に接続され、前記プラス・マイナス線、および、同プラス・マイナス線の所定長間隔置き毎に接続した複数本の中間ストリングを、各ＬＥＤ搭載部が一定間隔置き毎に分岐状突起するよう、１本の配線状に束ねてなるＬＥＤ電飾用延長型ストリングスの１または複数本、および、当該屋外ＬＥＤ電飾用整流器が、前記雄・雌コネクタを介して１線状に接続されてなるものとした、の発明の基本をなす前記屋外ＬＥＤ電飾用整流器を利用した屋外用ＬＥＤ電飾装置である。                
【発明の効果】
【００１１】
以上のとおり、この発明の屋外ＬＥＤ電飾用整流器によれば、従前までのものとは違い、上記したとおりの固有の特徴ある構成から、防水型筐体内に各電子部品類を密閉状に収納し、水の浸入を確実に防止するものとした上、整流回路よりも交流電源がわに、パーシャルショート防止回路を設けたから、整流回路、およびＬＥＤ接続用コネクタ、さらにＬＥＤ接続用コネクタを介して接続するＬＥＤ電飾灯の、パーシャルショートに起因する故障を未然に防止することができ、特に、パーシャルショート防止回路として正温度特性を有するサーミスタを設けたものとすることにより、パーシャルショートの発生をより確実に防止し、ＬＥＤ接続用コネクタおよびその他の回路部分への水分の浸入によって引き起こされるイオンマイグレーション現象に起因するパーシャルショート、および、それによる異常加熱、発火、発煙を確実に防止可能なものとしたから、特に雨や雪などに晒される屋外に設置した場合の安全性を、従来品に比較して格段に向上したものにすることができる上、パーシャルショートの発生原因を除去または交換するなどして定格電流内の動作を回復した後は、正温度特性を有するサーミスタが、元の抵抗値に自動復帰するから、防水型筐体内の部品交換など必要なく、そのまま利用することができるという秀でた特徴が得られるものである。
【００１２】
加えて、防水型筐体内に各電子部品類を密閉状に収納し、水の浸入を確実に防止するものとした上、整流回路よりも交流電源がわとなる当該防水型筐体内に、パーシャルショート防止回路、および、大電流保護回路を設けてなるものとした、この発明の屋外ＬＥＤ電飾用整流器によれば、整流回路、および、当該防水型筐体外となるＬＥＤ接続用コネクタ、さらに同ＥＤ接続用コネクタを介して接続する屋外用のＬＥＤ電飾灯を、パーシャルショートおよび大電流による故障からより確実に守ることができるものとなり、しかも、パーシャルショート防止回路、および、大電流保護回路を整流回路と共に、防水型筐体内に収納したから、各電子部品類の浸水を確実に阻止することができ、特に、パーシャルショート防止回路として正温度特性を有するサーミスタを設けたものは、パーシャルショートの発生をより確実に防止し、ＬＥＤ接続用コネクタおよびその他の回路部分への水分の浸入によって引き起こされるイオンマイグレーション現象に起因するパーシャルショート、および、それによる異常加熱、発火、発煙を確実に防止可能なものとし、パーシャルショートの発生原因を除去、交換して定格電流内の動作を回復するだけで、正温度特性を有するサーミスタが、元の抵抗値に自動復帰するから、そのまま利用することができ、さらに、大電流保護回路としてのヒューズを設けたものは、大電流の流入を阻止して整流回路、パーシャルショート防止回路を保護すると共に、この発明の屋外ＬＥＤ電飾用整流器に接続したＬＥＤ電飾用ストリングスおよびＬＥＤ電飾灯をより安全に保護するものとなり、該ヒューズが作動し、回路オープンとなった後は、溶断した該ヒューズを新しいものに交換するだけで、元の回路状態に復帰するから、そのまま利用開始できるという秀でた特徴が得られるものである。
【００１３】
そして、パーシャルショート防止回路が、過電流１Ａないし５Ａ前後のパーシャルショートの発生条件下に、トリップするポリスイッチ（登録商標）からなり、大電流保護回路としてのヒューズが、過電流６Ａ前後ないし回路ショートまでを保護可能なものに設定してなる、この発明の屋外ＬＥＤ電飾用整流器は、ＡＣ１００Ｖの外部交流電源に接続した場合に、該大電流保護回路としてのヒューズだけでは防止不可能な、定格電流を僅か数Ａ超えるようなパーシャルショートに起因する発熱を抑制し、パーシャルショートによる加熱が、発火、発煙を伴う故障に至ってしまうのを確実に防止し、その安全性を格段に高めたものとすることができるという効果が得られる。
【００１４】
また、この発明の屋外ＬＥＤ電飾用整流器を利用した屋外用ＬＥＤ電飾装置によれば、ＬＥＤ電飾用延長型ストリングスの各中間ストリングに設けたＬＥＤ搭載部の中の、少なくとも１個のＬＥＤ搭載部に抵抗を設けたものとしたから、ＬＥＤ電飾用延長型ストリングスに過電流が発生した場合にも、短絡などによる発熱や発火および発煙などの発生を未然に防ぐことができるものとなる。                                                                                            
【発明を実施するための最良の形態】
【００１５】
上記したとおりの構成からなるこの発明の実施に際し、その最良もしくは望ましい形態について説明を加えることにする。
屋外用ＬＥＤ電飾装置は、複数個のＬＥＤ電飾灯を屋外配線によって設置可能とし、交流電源を整流し、安定且つ安全に複数個のＬＥＤ電飾灯を点灯可能とする昨日を担い、全体に高い防水性を確保したものとしなければならず、後述する実施例に示すように、この発明の屋外ＬＥＤ電飾用整流器を有するものとし、当該屋外ＬＥＤ電飾用整流器に対してＬＥＤ電飾用延長型ストリングスの１または複数本を１線状に接続可能なものとするのが良い。
【００１６】
屋外ＬＥＤ電飾用整流器の防水型筐体は、外部交流電源接続用プラグおよびＬＥＤ接続用コネクタを防水状態に接続し、同防水型筐体内部に、少なくともパーシャルショート防止回路、および整流回路を防水状態に収容可能とする機能を担うものであり、同筐体の一部に開口を設け、該開口に対し、パッキンなどを挟み込み、装着可能とした防水型蓋部を設け、例えば、該防水型蓋部を開いて、整流回路を始めとする内蔵部品類、および配線類のメンテナンス、より具体的には、例えば、大電流保護回路としてのヒューズの交換や、パーシャルショート防止回路としてマイクロブレーカーを搭載した場合には、マイクロブレーカーの開閉操作などの各種メンテナンス作業を行えるようにしたものとすることが可能であり、後述する実施例にも示すように、該筐体の適所に外部交流電源接続用プラグを先端に有する電源コードの基端を防水状態に接続し、同筐体の電源コードとの短絡を防止し、防水を確保可能な適所にＬＥＤ接続用コネクタを先端に有するストリングの基端を防水状態に接続し、同筐体内に基板部を設け、該基板部には整流回路を搭載したものとすることができ、該基板部は、同筐体の内壁面部分とし、整流回路およびそれ以外の内蔵部品類を、同筐体の内壁面部分に搭載し、配線してなるものとすることが可能である。
【００１７】
屋外ＬＥＤ電飾用整流器の外部交流電源接続用プラグは、当該屋外ＬＥＤ電飾用整流器の交流入力電源がわを交流電源に接続可能とする機能を担っており、防雨型のプラグとすべきであり、商用交流電源用のものとし、二相交流電源用、または三相交流電源用などのプラグとすることが可能であり、後述する実施例にも示している通り、筐体の適所に筒状雄ネジ部を設け、該筒状雄ネジ部を通じて先端に外部交流電源接続用プラグを有する電源コードを当該筐体外に延伸し、該電源コードの基端を該筒状雄ネジ部に密閉用ナットを螺着し、防水状態に接続したものとすることが可能である。
【００１８】
屋外ＬＥＤ電飾用整流器のＬＥＤ接続用コネクタは、防水型筐体内の整流回路出力配線を、防水型筐体外の屋外設置用のＬＥＤ電飾用ストリングスに対し、着脱自在に接続可能とすると共に、その接続部分に水分が浸入するのを防止する機能を担うものであり、防水型筐体の外部交流電源接続用プラグとの短絡を防止し、防水を確保可能な適所に対して防水状態に接続したものとしなければならず、後述する実施例にも示したように、筐体の適所に筒状雄ネジ部を設け、該筒状雄ネジ部を通じて、先端にＬＥＤ接続用コネクタを有するストリングを当該筐体外に延伸し、該ストリングの基端を該筒状雄ネジ部に密閉用ナットを螺着し、防水状態に接続したものとすることが可能である。
【００１９】
さらに、ＬＥＤ接続用コネクタは、雄・雌一対からなり、接続状態にて短絡を防止可能な外部密閉・防水型のものとしたＬＥＤ接続用雄・雌コネクタからなるものとし、屋外ＬＥＤ電飾用整流器とＬＥＤ電飾用延長型ストリングスの一端とを着脱自在に接続可能とするものとなり、また、複数本のＬＥＤ電飾用延長型ストリングス同士を着脱自在に接続可能としたものとするのが望ましく、後述する実施例にも示しているが、雄コネクタのコネクタ電極の両極基端周囲に、筒状の立ち上がり部を設け、該筒状の立ち上がり部が、雌コネクタの充填樹脂部に穿設した嵌合穴に、嵌合・密閉状に差し込み可能な形状とし、コネクタ電極の両極を差し込むと隙間が出来ないように防水される構造のものとし、プラスおよびマイナスのコネクタ電極間のイオンマイグレーション現象を防ぐようにしたものとし、さらに、鈎爪を有したロックタイプの係合部を設け、締め忘れを発生し難いものとするのが望ましい。
【００２０】
屋外ＬＥＤ電飾用整流器の整流回路は、外部交流電源接続用プラグを通じて供給される交流電流を、直流電流に変換してＬＥＤ接続用コネクタがわへ供給可能とする機能を担うものとし、整流器、順変換回路、順変換装置またはＡＣ−ＤＣコンバータと云うことができ、水銀整流器、亜酸化銅整流器、サイラトロン、セレン整流器、ダイオード（シリコン整流器・ゲルマニウム整流器）、二極真空管、サイリスタ、および、ＭＯＳＦＥＴ（ｍｅｔａｌ−ｏｘｉｄｅ−ｓｅｍｉｃｏｎｄｕｃｔｏｒ・ｆｉｅｌｄ−ｅｆｆｅｃｔ・ｔｒａｎｓｉｓｔｏｒ）の何れか一つとすることができる外、表現を変えて示すと、単相半波整流回路、単相全波整流回路、単相ブリッジ整流回路、二相全波整流回路、三相半波整流回路、三相全波整流回路、１２相整流回路の中の少なくとも何れか１つとすることが可能であり、より具体的には、例えば後述する実施例にも示すように、ブリッジダイオードからなるものとすることが可能である。
【００２１】
屋外ＬＥＤ電飾用整流器のパーシャルショート防止回路は、当該屋外ＬＥＤ電飾用整流器の外部交流電源接続用プラグよりも整流回路およびＬＥＤ接続用コネクタがわとなる範囲が、定格電流を僅かに超えてパーシャルショートの発生条件となり得る微弱な過電流が発生した場合に、自動的に過電流を抑制して定格電流に制御するか、または、自動的に回路オープンとして過電流条件下のＬＥＤ電飾灯の点灯を阻止する機能を担うものであり、防水型筐体内に収容したものとしなければならず、例えば、正温度特性を有するサーミスタやマイクロブレーカーなどの何れか少なくとも１種とすることが可能である。
【００２２】
屋外ＬＥＤ電飾用整流器のパーシャルショート防止回路としての正温度特性を有するサーミスタは、当該屋外ＬＥＤ電飾用整流器の外部交流電源接続用プラグよりも整流回路およびＬＥＤ接続用コネクタがわとなる範囲が、定格電流を僅かに超えてパーシャルショートの発生条件となり得る微弱な過電流が発生し、自らの温度が上昇した場合にトリップし、自動的に自らの抵抗値を上昇してパーシャルショートを未然に防止可能とし、過電流の原因が取り除かれ、定格電流に戻り、自らの温度が低下すると、自ら自動的に元の抵抗値に復帰する機能を担うものであり、防水型筐体内に収容したものとしなければならず、より具体的なものとして示すと、ＰＴＣ（ｐｏｓｉｔｉｖｅ  ｔｅｍｐｅｒｔｕｒｅ  ｃｏｅｆｆｉｃｉｅｎｔ：以下重複を避けて説明を省略する）サーミスタ（正温度特性を有するサーミスタ）とすることができ、さらに具体的に示すとセラミックＰＴＣやポリマーＰＴＣなどの少なくとも何れか一種とすることが可能であり、１個または複数個設けることが可能であり、より具体的なものとして示すと、後述する実施例にも示しているが、ポリスイッチ（登録商標）や、ポジスタ（登録商標）などの既製品の少なくとも何れか１つの正温度特性サーミスタとすることが可能である。
【００２３】
屋外ＬＥＤ電飾用整流器のパーシャルショート防止回路としてのマイクロブレーカーは、当該屋外ＬＥＤ電飾用整流器の外部交流電源接続用プラグよりも整流回路およびＬＥＤ接続用コネクタがわとなる範囲が、設定された電流値を超えた場合に、自動的に回路オープンし、人為的な閉鎖操作を加えて、回路閉状態に復帰可能とする機能を担うものとし、防水型筐体内に収容したものとしなければならず、正温度特性を有するサーミスタと全く同じ作用が得られるものではないが、当該屋外ＬＥＤ電飾用整流器の定格電流を超えた場合に回路オープンするよう設定したものを、正温度特性を有するサーミスタと置き換えて設けることが可能であり、１個または複数個の何れか一方を設けたものとすることが可能である。
【００２４】
屋外ＬＥＤ電飾用整流器の大電流保護回路としてのヒューズは、当該屋外ＬＥＤ電飾用整流器の外部交流電源接続用プラグよりも整流回路およびＬＥＤ接続用コネクタがわとなる範囲が、定格電流を大幅に超えて、整流回路およびＬＥＤ接続用コネクタ、さらに、ＬＥＤ接続用コネクタに接続し、屋外に設置したＬＥＤ電飾用ストリングスなどが短絡、故障してしまう虞のある場合に、瞬時に溶断して自動的に回路オープンする機能を担うものとし、防水型筐体内に収容したものとしなければならず、大電流によって溶断したヒューズは、人為的に新品または未作動のものに交換することによって回路閉状態に復帰可能なものとすべきであり、後述する実施例にも示しているが、外部交流電源接続用プラグと整流回路との間の交流２配線中の適所に、定格電流の２倍の電流によって瞬時に溶断するよう、１個または複数個設けたものとすることが可能である。
【００２５】
ＬＥＤ電飾灯は、当該屋外ＬＥＤ電飾用整流器からの定格直流電力の供給を受けて点灯する屋外用電飾灯としての機能を担うものであり、ＬＥＤ電飾用ストリングスのＬＥＤ搭載部に搭載し、該ＬＥＤ電飾用ストリングスのコネクタを、当該屋外ＬＥＤ電飾用整流器のＬＥＤ接続用コネクタに接続して、直流電流の供給を受けて点灯するものとすべきであって、当該ＬＥＤ電飾灯は、発光ダイオード（ｌｉｇｈｔ  ｅｍｉｔｔｉｎｇ  ｄｉｏｄｅ）であり、砲弾型、チップ型、多セグメント型などの少なくとも何れか一種とすることが可能であり、発光色を適宜設定可能であり、屋外利用に耐える防水性および耐久性に、より優れたものを選択、利用するのが望ましい。
【００２６】
屋外用ＬＥＤ電飾装置のＬＥＤ電飾用ストリングスは、複数個のＬＥＤ電飾灯を１本の配線束に沿って点在状に連結すると共に、各ＬＥＤ電飾灯に対して直流電流を供給可能に接続して点灯可能とする上、その配線回路の接続部分や部品搭載部分などを防水可能とする機能を担っており、当該屋外ＬＥＤ電飾用整流器とは別体のものとであり、その配線回路の全体に水分が浸入しないよう防水可能なものとし、当該屋外ＬＥＤ電飾用整流器のＬＥＤ接続用コネクタを介して着脱自在に接続可能なものとしなければならず、当該屋外ＬＥＤ電飾用整流器のＬＥＤ接続用コネクタに着脱可能とした少なくとも一対の雄・雌コネクタ間に、所定長のプラス・マイナス線を接続し、同プラス・マイナス線の所定長間隔置き毎となる適所間に、ＬＥＤ電飾灯を搭載した抵抗付きＬＥＤ搭載部を少なくとも１個と、ＬＥＤ電飾灯を搭載した抵抗無しのＬＥＤ搭載部の複数個とを、互いに一定間隔置き毎に配した中間ストリングの複数本を梯子状に接続し、前記プラス・マイナス線、および、同プラス・マイナス線の所定長間隔置き毎に接続した複数本の中間ストリングを、各ＬＥＤ搭載部が一定間隔置き毎に分岐状突起するよう、１本の配線状に束ねてなるＬＥＤ電飾用延長型ストリングスの１または複数本、および、当該屋外ＬＥＤ電飾用整流器を、前記雄・雌コネクタを介して１線状に接続してなるものすることができ、後述する実施例にも示すように、当該屋外ＬＥＤ電飾用整流器の電力供給量で発光可能な本数のＬＥＤ電飾用ストリングスを縦列状に接続可能なものとすることができ、各雄・雌コネクタの接続部分やＬＥＤ搭載部周辺、および、半田付け部、リボンクリンパー装着部などの配線接続部分などに防水絶縁チューブを装着するなどして、万全な防水を施してなるものとするのが良い。
【００２７】
外部交流電源は、単相交流電源や三相交流電源などの商用電源とすることが可能であり、表現を変えると、正弦波交流電源や非正弦波交流電源などとすることが可能である。
以下では、図面に示すこの発明を代表する実施例と共に、その構造について詳述することとする。                                                                                                                          
【図面の簡単な説明】
【００２８】
図面は、この発明の屋外ＬＥＤ電飾用整流器、およびそれに利用するコネクタの技術的思想を具現化した代表的な幾つかの実施例を示すものである。
【図１】屋外ＬＥＤ電飾用整流器の要部を示す回路図である。
【図２】蓋部を外した屋外ＬＥＤ電飾用整流器の要部を示す平面図である。
【図３】屋外ＬＥＤ電飾用整流器を示す平面図および側面図である。
【図４】ＬＥＤ接続用雌コネクタを示す断面図である。
【図５】ＬＥＤ接続用雄コネクタを示す断面図である。
【図６】屋外用ＬＥＤ電飾装置を示す回路図である。
【図７】ＬＥＤ電飾用ストリングスを示す正面図である。
【図８】抵抗付きＬＥＤ搭載部を示す正面図である。
【図９】抵抗無しのＬＥＤ搭載部を示す正面図である。
【図１０】ＬＥＤ電飾用ストリングスの中間ストリングとの接続部を示す正面図である。
【図１１】ＬＥＤ電飾用ストリングスのＬＥＤ接続用雌コネクタを示す正面図である。
【図１２】ＬＥＤ電飾用ストリングスのＬＥＤ接続用雄コネクタを示す正面図である。
【図１３】パーシャルショート防止回路をサーキットプロテクタに置き換えた屋外ＬＥＤ電飾用整流器、およびそれを利用した屋外用ＬＥＤ電飾装置を示す回路図である。
【図１４】大電流保護回路を設けず、パーシャルショート防止回路を設けた屋外ＬＥＤ電飾用整流器、およびそれを利用した屋外用ＬＥＤ電飾装置を示す回路図である。
【図１５】大電流保護回路を設けず、パーシャルショート防止回路を設けた屋外ＬＥＤ電飾用整流器、およびそれを利用した屋外用ＬＥＤ電飾装置の他の例を示す回路図である。
【実施例１】
【００２９】
図１ないし図３に示す事例は、防水型筐体１０を有し、該筐体１０の適所に外部交流電源接続用プラグ２を防水状態に接続し、同筐体１０の外部交流電源接続用プラグ２との短絡を防止し、防水を確保可能な適所にＬＥＤ接続用コネクタ３を防水状態に接続し、該筐体１０内に整流回路４を設け、該整流回路４と当該外部交流電源接続用プラグ２とを、該筐体１０内の該整流回路４入力配線４０，４０と当該外部交流電源接続用プラグ２との間適所にパーシャルショート防止回路５および大電流保護回路６を設けて接続する一方、該整流回路４の出力配線４１、４１を、当該ＬＥＤ接続用コネクタ３に接続してなるものとした、この発明の屋外ＬＥＤ電飾用整流器、およびそれを利用した屋外用ＬＥＤ電飾装置における代表的な一実施例を示すものである。
【００３０】
それら各図からも明確に把握できるとおり、この発明の屋外ＬＥＤ電飾用整流器１は、その本体部分が、整流回路４としてのブリッジダイオード４、パーシャルショート防止回路５としての正温度特性を有するサーミスタ５であるポリスイッチ（登録商標）５、および、ヒューズ６を密閉状に収容可能な矩形筐体であって、一端面およびこれに対峙する他端面の夫々に、筒状雄ネジ部１３，１３を貫通状に突設し、該一端面および他端面の間に位置する天面に、作業用開口１１を設け、該作業用開口１１には、パッキンを介して防水型蓋部１２を着脱自在に装着可能なものとしてなる防水型筐体１０からなり、該筐体１０の内部底面は、中央に端子台１６を有し、各電子部品を搭載可能な基板部１５としたものである。
【００３１】
当該一方の筒状雄ネジ部１３には、外部交流電源接続用プラグ２（ＡＣ１００Ｖ入力用）を先端に有する電源コード２０の基端を挿し通し、密閉用ナット１４を、図示しないシール部材などを介在させて、該一方の筒状雄ネジ部１３に螺合・緊締して防水状態に接続したものとし、該筐体１０内に導引した交流配線２１、２２の中の一方の配線２１が、端子台１６を経由し、基板部１５に実装し、大電流保護回路６として６Ａの過電流で瞬時に溶断する特性を持つヒューズ６（２５０Ｖ  ３Ａ×２）に接続してある。
【００３２】
該筐体１０内に導引した交流配線２１、２２の中の他方の配線２２は、端子台１６を経由し、基板部１５に実装し、パーシャルショート防止回路５としてのポリスイッチ５（登録商標）（ＬＶＲ０７５Ｓ：ＡＣ１００Ｖ  ０．７５Ａ  １．５Ａトリップ  耐圧ＡＣ２４０Ｖ）に接続した上、端子台１６に接続し、夫々の交流配線２１、２２は、整流回路４であるブリッジダイオード４（１０００Ｖ  １．５Ａ）の入力配線４０、４０に接続したものとしてある。
【００３３】
該筐体１０の他方の筒状雄ネジ部１３には、ＬＥＤ接続用コネクタ３を先端に有するストリング３２の基端を挿し通し、密閉用ナット１４を、図示しないシール部材などを介在させて、該他方の筒状雄ネジ部１３に螺合・緊締して防水状態に接続したものとし、該筐体１０内に導引したストリング３２のプラスおよびマイナス線３３，３３には、当該ブリッジダイオード４のプラスおよびマイナスに対応する出力配線４１、４１を接続したものとしてあり、その回路図は、図１に示すものとなる。
【００３４】
さらに、図４および図５に示すように、当該ＬＥＤ接続用コネクタ３を、イオンマイグレーションの発生を防止可能とするよう改良したものであり、雄・雌一対からなり、図４のように、雌コネクタ３１は、プラスおよびマイナス線３３，３３の雌コネクタ電極３７、３７先端を嵌合用成型部品３４基端外がわより差し込み、同嵌合用成型部品３４内に配し、防水パッキン３５、充填樹脂部３６を充填し、雌コネクタ電極３７、３７に繋がる嵌合穴３８、３８を穿設してなるものとする一方、図５に示すように、雄コネクタ３０は、雌コネクタ３１の嵌合用成型部品３４に外嵌装着可能とし、適所にロックタイプの係合部（図示せず）を設けた嵌合用成型部品３４を有し、同嵌合用成型部品３４基端外がわから、プラスおよびマイナス線３３，３３を差し込み、雄コネクタ電極３７、３７先端を同嵌合用成型部品３４内に露出状とするよう配し、同嵌合用成型部品３４基端内がわに防水パッキン３５を設け、同同嵌合用成型部品３４内であって防水パッキン３５よりも先端寄りとなる部分に、充填樹脂部３６を充填すると共に、該充填樹脂部３６外周縁と、嵌合用成型部品３４内周壁との境界部分にも防水パッキン３５を設けた上、雄コネクタ電極３７、３７の基端寄りの周囲に、筒状の筒状の立ち上がり樹脂部３９、３９を密着状に立設し、各筒状の立ち上がり樹脂部３９、３９が、前記雌コネクタ３１の嵌合穴３８、３８に、差し込んだ際に、互いに密着状に嵌合するものとして優れた防水性を確保したものとしてある。
【００３５】
図６ないし図１２に示すように、この発明の屋外ＬＥＤ電飾用整流器１には、前述したＬＥＤ接続用コネクタ３（雄コネクタ３０・雌コネクタ３１）を介してＬＥＤ電飾用延長型延長型ストリングス８を着脱自在に接続し、屋外用ＬＥＤ電飾装置Ｅとすることが可能であり、該ＬＥＤ電飾用延長型ストリングス８は、図６および図７に示すように、一端に雄コネクタ３０・雌コネクタ３１の何れか一方を有し、他端に雄コネクタ３０・雌コネクタ３１の何れか他方を設けたプラスおよびマイナス線８０，８０間に、ＬＥＤ搭載部８４，８４，８５，８５，……を３３個連ねた２本の３３連中間ストリング８１，８１、および、ＬＥＤ搭載部８４，８４，８５，８５，……を３４個連ねた１本の３４連中間ストリング８２を、同プラスおよびマイナス線８０，８０の長さ方向に沿って順次、等間隔に配するよう掛け渡して結合し、それらプラス・マイナス線８０，８０、３３連中間ストリング８１，８１、および３４連中間ストリング８２を１本に寄り合わせるようにしてＬＥＤ搭載部８４，８４，……，８５，８５，……を合計１００個連ねたものとし、各ＬＥＤ搭載部８４，８４，……，８５，８５，……に砲弾型ＬＥＤ電飾灯９を交換自在に搭載し、当該ＬＥＤ電飾用延長型ストリングス８の１本が、ＬＥＤ電飾灯９を１００個連ねたものとしてある。
【００３６】
図７および図８に示すように、当該ＬＥＤ電飾用延長型ストリングス８は、同ＬＥＤ電飾用延長型ストリングス８の一端に設けた雄コネクタ３０・雌コネクタ３１何れか一方の先端から、同ＬＥＤ電飾用延長型ストリングス８一端の雄コネクタ３０・雌コネクタ３１の何れか一方に最も近い配置とした１本目の抵抗８３付きＬＥＤ搭載部８４基端までの距離（Ｌ）を１００ｍｍに設定し、同ＬＥＤ電飾用延長型ストリングス８一端寄りに配した１本目の抵抗８３付きＬＥＤ搭載部８４基端から、さらに、同ＬＥＤ電飾用延長型ストリングス８の他端寄りに距離（Ｌ）１００ｍｍの位置に、２本目の抵抗８３付きＬＥＤ搭載部８４の基端を配したものとし、さらに、該２本目の抵抗８３付きＬＥＤ搭載部８４基端より１００ｍｍ、同ＬＥＤ電飾用延長型ストリングス８の他端寄りの位置に、抵抗無しのＬＥＤ搭載部８５の基端を配し、以降同様にして合計１００本のＬＥＤ搭載部８４，８４，８５，８５，……を等間隔（Ｌ）１００ｍｍ置き毎に配したものとし、同ＬＥＤ電飾用延長型ストリングス８の他端には、雄コネクタ３０・雌コネクタ３１何れか他方を、最も他端寄りに配した抵抗無しのＬＥＤ搭載部８５の基端から距離（Ｌ）１００ｍｍの位置に設けたものである。
当該ＬＥＤ搭載部８４への抵抗８３の組み込みは、リボンクリンパーを用いたものとし、ＬＥＤ電飾灯９を接続、搭載した上、ＬＥＤ搭載部８４，８５を含む中間ストリング８１（または８２）の枝別れさせた長さ２５ｍｍ前後の範囲を防水絶縁チューブ８８で充分に被覆したものとしてある。
【００３７】
図６に示すように、ＬＥＤ電飾用延長型ストリングス８は、一端に設けた雄コネクタ３０・雌コネクタ３１何れか一方の先端から、同３４連中間ストリング８２一端の雄コネクタ３０・雌コネクタ３１の何れか一方に最も近い配置とした１本目、および、それに隣接する２本目を抵抗８３付きＬＥＤ搭載部８４としたものとすることが可能であり、また、図７に示すように、ＬＥＤ電飾用延長型ストリングス８の一端に設けた雄コネクタ３０・雌コネクタ３１何れか一方の先端から、同ＬＥＤ電飾用延長型ストリングス８一端の雄コネクタ３０・雌コネクタ３１の何れか一方に最も近い配置とした１本のみの抵抗８３付きＬＥＤ搭載部８４基端までの距離（Ｌ）を１００ｍｍに設定し、同ＬＥＤ電飾用延長型ストリングス８の一端寄りに配した１本のみの抵抗８３付きＬＥＤ搭載部８４基端から１００ｍｍ（Ｌ）、同ＬＥＤ電飾用延長型ストリングス８の他端寄りの位置に、抵抗無しのＬＥＤ搭載部８５の基端を配し、以降同様にして合計１００本のＬＥＤ搭載部８４，８５，８５，……を等間隔（Ｌ）１００ｍｍを隔てて配したものとし、同ＬＥＤ電飾用延長型ストリングス８の他端には、雄コネクタ３０・雌コネクタ３１何れか他方を、最も他端寄りに配した抵抗無しのＬＥＤ搭載部８５の基端から１００ｍｍ（Ｌ）の位置に設けたものとし、当該ＬＥＤ電飾用ストリングス部８の複数本、例えば３ないし５本を１線上に連なるよう接続し、当該ＬＥＤ電飾用ストリングス部８の末端に相当し、回路オープン状態に解放する他端の雄コネクタ３０・雌コネクタ３１何れか他方には、それに密閉状に嵌合可能な雄コネクタ３０・雌コネクタ３１何れか一方からなり、外端を密閉する防水栓８７および防水絶縁チューブ８８によって防水するよう密閉封止してなる末端防水キャップ８６を着脱自在に嵌着・密閉してなるものとすることが可能である。
【００３８】
図１０に示すように、ＬＥＤ電飾用延長型ストリングス８のプラス・マイナス線８０，８０間に、３３連中間ストリング８１，８１、３４連中間ストリング８２を掛け渡した部分は、半田付け部Ｐ，Ｐによって結合し、さらにその結合部分を含む所定幅範囲に、防水絶縁チューブ８８を密閉状に装着し、防水性を確保したものとしており、さらに、図１１および図１２に示すように、雄コネクタ３０・雌コネクタ３１の何れか一方または他方に、ＬＥＤ電飾用延長型ストリングス８の３３連中間ストリング８１や３４連中間ストリング８２の対応する端部を接続する場合には、雄コネクタ３０・雌コネクタ３１の基端から、最も近傍に位置する半田付け部Ｐを充分被覆可能とする範囲まで防水絶縁チューブ８８にて密閉状に被覆してなるものとしてあり、各半田付け部Ｐは、リボンクリンパーを用いた接続部に置き換えることが可能である。
【００３９】
図６ないし図１２に示すように、該ＬＥＤ電飾用延長型ストリングス８は、１本のＬＥＤ負荷を１００球設けたものとし、当該屋外ＬＥＤ電飾用整流器１の容量に応じて１ないし複数本を接続可能としたものであり、例えば、当該屋外ＬＥＤ電飾用整流器１に対して、該ＬＥＤ電飾用延長型ストリングス８の５本を１本に連続するよう接続し、ＬＥＤ負荷を最大５００球（容量３２０ｍＡ）まで拡張することが可能であり、５本目（末端）となるＬＥＤ電飾用延長型ストリングス８の回路的にはオープンとしてある末端の、雄コネクタ３０・雌コネクタ３１の何れか一方または他方に、末端防水キャップ８６を装着し、街路樹や建築物の適所などに外装するようにして設置可能なものとしてあり、当該屋外ＬＥＤ電飾用整流器１およびＬＥＤ電飾用延長型ストリングス８，８，……を屋外設置する際には、より確実にイオンマイグレーション現象を防止する為、作業中に接続する雄コネクタ３０・雌コネクタ３１間に、水分が浸入しないよう、雨水や降雪を避けて、注意深く作業する必要がある。
【００４０】
図１３に示すように、この発明の屋外ＬＥＤ電飾用整流器１は、パーシャルショート防止回路５として、例えば、バイメタル式サーキットプロテクタ５０（ＮＲＰＳ１０−１Ａ：ＡＣ２５０Ｖ  １Ａ  トリップ  熱動引外し方式）に置き換えたものとすることができる。
【００４１】
そして、外部交流電源接続用プラグ２と整流回路４としてのブリッジダイオード４との間に設けるパーシャルショート防止回路５としての正温度特性を有するサーミスタ５であるポリスイッチ（登録商標）５、サーキットプロテクタ５０、および大電流保護回路６としてのヒューズ６などの数および配置は、適宜変更することが可能であり、パーシャルショート防止回路５は、図示しないマイクロブレーカーに置き換えることが可能である他、外部交流電源接続用プラグ２電源コード２０とブリッジダイオード４との間の交流２線中の一方の配線２１と他方の配線２２との間に図示しないバリスタを設けたものとすることが可能である。
【００４２】
さらにまた、図１４および図１５に示すように、屋外ＬＥＤ電飾用整流器１に大電流保護回路６としてのヒューズ６を設けず、図１４に示すように、整流回路４としてのブリッジダイオード４と外部交流電源接続用プラグ２との間であって、防水型筐体１０内となる交流２線中の一方の配線２２の適所に、パーシャルショート防止回路５である正温度特性を有するサーミスタ５としてのポリスイッチ５（登録商標）を設けたものとすることができる外、図１５に示すように、整流回路４としてのブリッジダイオード４と外部交流電源接続用プラグ２との間であって、防水型筐体１０内となる交流２線中の一方の配線２２の適所に、パーシャルショート防止回路５としてのサーキットプロテクタ５０を設けてなるものとすることが可能である。
【００４３】
そして、図１４および図１５に示す、ＬＥＤ電飾用延長型ストリングス８は、３３連中間ストリング８１，８１および３４連中間ストリング８２の各一端に、夫々１個の抵抗８３を設けたものとしてあり、屋外ＬＥＤ電飾用整流器１を通じて流れる過大電流からＬＥＤ電飾灯９，９，……を保護可能なものとしてある。
【００４４】
（実施例１の作用・効果）
以上のとおりの構成からなるこの発明の屋外ＬＥＤ電飾用整流器１、およびそれを利用した屋外用ＬＥＤ電飾装置Ｅは、図１ないし図１２に示すように、屋外において外部交流電源接続用プラグ２を商用電源７（外部交流電源：二相交流電源、ＡＣ１００Ｖ）に接続し、ＬＥＤ接続用コネクタ３である雄コネクタ３０と雌コネクタ３１とを接続して１本ないし５本のＬＥＤ電飾用延長型ストリングス８，８，……を一線状に接続し、最大５００個のＬＥＤ電飾灯９，９，……を点灯するよう設置、利用することが可能であり、防水型筐体１０は、その作業用開口１１に装着したパッキンを有する防水型蓋部１２、および、各筒状雄ネジ部１３，１３と、夫々に螺着した密閉用ナット１４，１４によって防水性を高めたものとし、各雄コネクタ３０および雌コネクタ３１の接続部も、高い密閉性を確保したものとしてあり、さらに、末端のＬＥＤ電飾用延長型ストリングス８に、末端防水キャップ８６を装着したものとしてあるから、雨・雪などに晒された場合にも内部への浸水をより確実に防止できるものとなり、また、ＬＥＤ接続用コネクタ３雄・雌コネクタ３０，３１にも、防水パッキン３５，３５，３５や嵌合穴３８，３８および筒状の立ち上がり樹脂部３９，３９を設け、嵌合用成型部品３４の適所にロックタイプの係合部（図示せず）を設けるなどして、防水性を格段に高めたものとし、イオンマイグレーション現象およびパーシャルショートの防止性能を大幅に高めたものとしている。
【００４５】
加えて、ＬＥＤ接続用コネクタ３に留まらず、ＬＥＤ接続用コネクタ３のストリング３２や、防水型筐体１０内部などに水分が万が一浸入してしまい、イオンマイグレーション現象、およびパーシャルショートを発生する条件下となってしまった場合には、パーシャルショート防止回路５としての正温度特性を有するサーミスタ５であるポリスイッチ（登録商標）５が、過電流１Ａ以上のパーシャルショートの発生条件下にてトリップし、定格電流値以下に留めるものとなって安全を確保し、さらに、過電流６Ａないし回路ショートとなる程度の大電流が流入した場合には、大電流保護回路６としてのヒューズ６が回路オープンして、回路全体を保護するものとなり、パーシャルショート、および、大電流に起因する発火や発煙を、格段に確実に防止できるものとなり、作動済みのヒューズ６は、防水型筐体１０の防水型蓋部１２を外して作業用開口１１を開放し、未作動新品のヒューズ６と交換し、防水型蓋部１２を密閉状に閉鎖して継続使用することができる。
【００４６】
下記表１に示すように、この実施例１に示した、パーシャルショート防止回路５としての正温度特性を有するサーミスタ５であるポリスイッチ（登録商標）５、および、大電流保護回路６としてのヒューズ６を組み込んでなる屋外ＬＥＤ電飾用整流器１は、過電流７Ａ以上の大電流による完全ショート、および、過電流１Ａないし６Ａのパーシャルショートを防止し、ポリスイッチ（登録商標）５が、過電流１Ａないし６Ａのパーシャルショートを防止している状態では、ＬＥＤ電飾灯９，９，……が、正常時よりも弱い微小点灯状態を維持するものとなる。
【００４７】
また、パーシャルショート防止回路５としての正温度特性を有するサーミスタ５であるポリスイッチ（登録商標）５を、現在市販されているマイクロブレーカーや、図１３に示した、現在市販されているサーキットプロテクタ５０に置き換えたものの場合には、過電流１Ａないし２Ａ程度のパーシャルショートを阻止することができないが、過電流３Ａないし６Ａ程度までのパーシャルショートを阻止することができ、過電流の発生によってマイクロブレーカーが回路オープンした後は、前述と同様に作業用開口１１を開放して、マイクロブレーカーを閉操作して作動前の状態に復帰させた上、防水型蓋部１２を閉鎖して、再び利用することが可能となる。
【００４８】
該マイクロブレーカーや、サーキットプロテクタ５０は、ポリスイッチ（登録商標）５と同様に、過電流１Ａないし６Ａ程度のパーシャルショートを阻止できるものが今後開発されれば、ポリスイッチ（登録商標）５と同等の作用および効果を達成することが可能となる。
【００４９】
パーシャルショート防止回路５としてマイクロブレーカーを組み込んでなる、この発明の屋外ＬＥＤ電飾用整流器１は、ポリスイッチ（登録商標）５を用いた場合に比較して過電流１Ａないし２Ａ程度のパーシャルショートを阻止できないが、パーシャルショート防止回路５としてヒューズ（２Ａ×２）を組み込んだ場合に防止できない、過電流３Ａ前後のパーシャルショートを防止することができるという効果を達成することができる。
【００５０】
以上、下記表１を参照して明確に比較できるように、過電流１Ａないし数十Ａを超える範囲を全く保護出来ない保護回路無しの場合、および、ヒューズ（２Ａ×２）組み込み、過電流１Ａないし３Ａで発生するパーシャルショートを阻止できない場合に比較して、パーシャルショート防止回路５としてマイクロブレーカーを組み込んでなる、この発明の屋外ＬＥＤ電飾用整流器１は、２Ａを超える３Ａ以上の過電流、および、それに起因するパーシャルショートを阻止することができ、さらに、この発明のパーシャルショート防止回路５としてポリスイッチ（登録商標）５を組み込んだ屋外ＬＥＤ電飾用整流器１は、過電流１Ａ以上の発生を抑制し、より高い安全性を発揮可能なものであり、しかも、過電流の発生原因を解決した後は、パーシャルショート防止回路５としてのポリスイッチ（登録商標）５に関する特別な復帰操作や、部品交換などを一切必要せず、自動的に元の抵抗値に復帰するものとなり、メンテナンス作業性を格段に高めたものとすることができる。                                                        
【表１】
2018014271.tif 000003
【００５１】
図１４および図１５に示すように、大電流保護回路６としてのヒューズ６を設けない、この発明の屋外ＬＥＤ電飾用整流器１は、図１４に示す、ポリスイッチ５（登録商標）を設けたものの場合に、１Ａないし６Ａの過電流が発生したときにポリスイッチ５（登録商標）がトリップして定格電流に抑制し、パーシャルショートを防止するものとなり、６Ａを超える大電流が発生した場合に、ポリスイッチ５（登録商標）が破損するか、または、接続したＬＥＤ電飾用延長型ストリングス８の抵抗８３，８３，８３が溶断するかの何れかによって回路オープンとなり、発火、発煙の発生を阻止するものとなり、また、図１５に示す、サーキットプロテクタ５０を設けたものの場合に（現在市販されているサーキットプロテクタ５０の性能上）１Ａないし２Ａの過電流が発生したときに、パーシャルショートを阻止できないが、３Ａないし６Ａを超える過電流が発生した場合には、サーキットプロテクタ５０が、自動的に回路オープンするものとなる。
【００５２】
（結  び）
叙述の如く、この発明の屋外ＬＥＤ電飾用整流器１、およびそれを利用した屋外用ＬＥＤ電飾装置は、その新規な構成によって所期の目的を遍く達成可能とするものであり、しかも製造も容易で、従前からの整流器技術に比較して、屋外設置の際の耐久性を大幅に強化し、雨天や降雪などへの耐候性を格段に高めると共に、その機能性を向上した上で小型、軽量且つ低廉化して遥かに経済的なものとすることができる上、設置作業性も従来品と同様に効率的に設置可能なものとし、優れたメンテナンス性を達成したから、従前までは、完全には防ぎきれなかった屋外設置中に発生するパーシャルショートに起因する加熱、発火故障を、より確実に防止可能なものとし、より品質が高く、信頼性に秀でた屋外設置用のＬＥＤ電飾技術の提供を希望する、ＬＥＤ業界および屋外電飾業界はもとより、安定した品質のＬＥＤ電飾を安全に屋外設置したいと希望する事業主や一般家庭においても高く評価され、広範に渡って利用、普及していくものになると予想される。                                                                                          
【符号の説明】
【００５３】
1      屋外ＬＥＤ電飾用整流器
１０    同  防水型筐体
１１    同  作業用開口
１２    同  防水型蓋部
１３    同  筒状雄ネジ部
１４    同  密閉用ナット
１５    同  基板部
１６    同  端子台
２      外部交流電源接続用プラグ
２０    同  電源コード
２１    同  一方の配線
２２    同  他方の配線
３      ＬＥＤ接続用コネクタ
３０    同  雄コネクタ
３１    同  雌コネクタ
３２    同  ストリング
３３    同  プラスおよびマイナス線
３４    同  嵌合用成型部品
３５    同  防水パッキン
３６    同  充填樹脂部
３７    同  雄・雌コネクタ電極
３８    同  嵌合穴
３９    同  筒状の立ち上がり樹脂部
４      ブリッジダイオード（整流回路）
４０    同  入力配線
４１    同  出力配線
５      ポリスイッチ（登録商標）（パーシャルショート防止回路：正温度特性を有するサーミスタ、またはマイクロブレーカー）
５０    同  サーキットプロテクタ
６      ヒューズ（大電流保護回路）
７      二相交流電源（外部交流電源）
８      ＬＥＤ電飾用延長型ストリングス
８０    同  プラス・マイナス線
８１    同  ３３連中間ストリング
８２    同  ３４連中間ストリング
８３    同  抵抗
８４    同  抵抗８３付きＬＥＤ搭載部
８５    同  抵抗無しのＬＥＤ搭載部
８６    同  末端防水キャップ
８７    同  防水栓
８８    同  防水絶縁チューブ
９      ＬＥＤ電飾灯
Ｐ      半田付け部
Ｅ    屋外用ＬＥＤ電飾装置                                                                            
【図１】
2018014271.tif 000004
【図２】
2018014271.tif 000005
【図３】
2018014271.tif 000006
【図４】
2018014271.tif 000007
【図５】
2018014271.tif 000008
【図６】
2018014271.tif 000009
【図７】
2018014271.tif 000010
【図８】
2018014271.tif 000011
【図９】
2018014271.tif 000012
【図１０】
2018014271.tif 000013
【図１１】
2018014271.tif 000014
【図１２】
2018014271.tif 000015
【図１３】
2018014271.tif 000016
【図１４】
2018014271.tif 000017
【図１５】
2018014271.tif 000018